(57)【要約】【課題】  吊り下げ具素材の有効利用率を高めて省資源化を促進すると共に、吊り下げ具の素材形成と、その組立作業を簡素化して安価なに吊り下げ具を多量提供すること。【解決手段】  環状テープの内周対向面に他の環状テープの外周二面を交差定着することで、複数の底片と吊下げ片と吊り手部とをそれぞれ連設した。  なお、前記各環状テープ１に耐熱性環状テープを用いてもよく、また前記吊り下げ具Ａを予め前記吊下げ片４の上下中間部４Ａからパンタグラフ式に折り畳んで出荷し、購入者は使用時に吊下げ片４を伸長復元し、吊り下げ具Ａとして使用可能にしてもよい。【選択図】図１
2006111286.tif 000002
【特許請求の範囲】
【請求項１】
環状テープの内周対向面に他の環状テープの外周二面を交差定着することで、複数の底片と吊下げ片と吊り手部とをそれぞれ連設してなる吊り下げ具。
【請求項２】
環状紙テープの内周対向面に他の環状テープの外周二面を交差定着することで、複数の底片と吊下げ片と吊り手部とをそれぞれ連設してなる吊り下げ具。
【請求項３】
環状プラスチックテープの内周対向面に他の環状テープの外周二面を交差定着することで、複数の底片と吊下げ片と吊り手部とをそれぞれ連設してなる吊り下げ具。
【請求項４】
前記環状テープに長尺封筒を小口切りした環状テープを用いた請求項１から請求項３までのいずれか一つの請求項に記載の吊り下げ具。
【請求項５】
前記各環状テープに耐熱性環状テープを用いた請求項１から請求項４までのいずれか一つの請求項に記載の吊り下げ具。
【請求項６】
前記吊り下げ具を予め前記吊下げ片の中間部からパンタグラフ式に折り畳み可能にした請求項１から請求項５までのいずれか一つの請求項に記載の吊り下げ具。
【請求項７】
前記環状テープの所要個所に剥離片付きの感圧性接着片を接着して折り畳んでおき、使用時に前記テープを環状に復元すると共に、前記剥離片を除去した接着片で環状テープ同士を交差定着してなる請求項１から請求項６までの請求項に記載の吊り下げ具。
【発明の詳細な説明】
【技術分野】
【０００１】
本発明は、加熱加工食品などを移動させるに好適な吊り下げ具に係り、特に安価な環状テープを立体的に組合わせ定着した吊り下げ具に関する。
【背景技術】
【０００２】
吊り下げ包装用具としては、下記の非特許文献１に記載のように、紙またはプラスチックシートから例えば６枚の吊下げ片を扇形輪郭に沿わせて放射状に連設し、上記各吊下げ片を起立させると共に、二枚の底板同士を内側に曲げて接着し、この底板上に加熱加工食品やカップ内食品などを載置した後、各吊下げ片上部を内側に寄せ集め、その切り溝付き小孔に紐を通して結束することで、吊り下げ可能となした包装用具が周知である。
【非特許文献１】実開昭５８−１７７３１６号公報
【発明の開示】
【発明が解決しようとする課題】
【０００３】
上記非特許文献１の従来例は、各吊下げ片間にＶ字状の大きな切除部分が多数有るから、紙またはプラスチックシートなどの素材有効利用率が極めて小さく資源無駄が多く、しかも吊り下げ具の展開抜き型などが複雑高価となり不経済であると共に、その使用時には各吊下げ片上部をそれぞれ固有弾力に抗して内向きに寄せ集め、その切り溝付き小孔に紐を通して結束しなければ上記被収納品を包み込めないので、その使用時の包み込み作業性が悪く、面倒かつ厄介であるという本質的かつ、大きな問題点が有る。
【０００４】
この発明は、吊り下げ具の素材として安価な紙またはプラスチック製の環状テープを組合わせ定着することで、吊り下げ具素材の有効利用率を高めて省資源化を促進すると共に、吊り下げ具の素材形成と、その組立作業を簡素化して安価な吊り下げ具を多量提供することを目的とする。
【課題を解決するための手段】
【０００５】
本発明の目的は、環状テープの内周対向面に他の環状テープの外周二面を交差定着することで、複数の底片と吊下げ片と吊り手部とをそれぞれ連設したことで達成できた。
【０００６】
なお、前記各環状テープに耐熱性環状テープや長尺封筒を小口切りした環状テープを用いてもよく、また前記吊り下げ具を予め吊下げ片の中間部からパンタグラフ式に折り畳み可能にしてもよく、さらに前記環状テープの所要個所に剥離片付きの感圧性接着片を接着して折り畳んでおき、使用時に前記テープを環状に復元すると共に、前記剥離片を除去した接着片で環状テープ同士を交差定着してもよい。
【発明の効果】
【０００７】
本発明は、以上のような手段を採用したので、以下に記載の効果を奏する。
この発明における請求項１から請求項３までの各発明によれば、紙またはプラスチックで作った環状テープの内周対向面に他の環状テープの外周二面を交差定着し、複数の底片と吊下げ片と吊り手部とをそれぞれ連設したことで、複数の底片と吊下げ片とが予め寄せ集め定着した状態に有るので、前記従来例のように吊下げ片上部を改めて寄せ集めて結束する必要が無いから、本発明による吊り下げ具は前記従来例に比べ、複数の環状テープの上下二個所を立体交差させて定着するだけで著しく簡単に組立使用できるし、吊り下げ具内に加熱加工済食品などを出し入れするには、前記吊下げ片を外向きに拡開するだけで実行できるという優れた効果が有る。
【０００８】
特に本発明による請求項４の発明によれば、前記諸効果に加え、紙またはプラスチック製の封筒張りした長尺偏平筒体を所望幅に小口切りするだけで極めて簡単かつ安価に環状テープを多量製造でき、吊り下げ具用素材の有効利用率を１００％に高めることができ、省資源化を実現できたという効果を付加できた。
【０００９】
本発明における請求項５の発明によれば、前記諸効果に加え、環状テープに耐熱紙やポリ・エチレン・テレフタレートなどの耐熱性環状テープを用いた吊り下げ具となしたので、その使用に当たり、上記吊り下げ具内に加熱加工用食品生地を入れた耐熱カップを載置したままの状態で、レンジや蒸し器などに入れて加熱加工でき、加熱加工済食品を吊り下げ具と共にレンジや蒸し器などから耐熱手袋や耐熱マットを用いることなく、そのまま取り出すことができ、直ちに他所に持ち運べるという効果を付加できた。
【００１０】
本発明における請求項６の発明によれば、前記諸効果に加え、前記吊り下げ具を予め吊下げ片の中間部からパンタグラフ式に折り畳み可能にしたので、パンタグラフ式に折り畳んだ吊り下げ具を出荷し、購入者は使用時に吊下げ片をパンタグラフ式に伸長させることで、吊り下げ具として使用可能にしたので、その素材管理・梱包保管・運搬流通・搬入開梱・組立使用・保守点検などのすべての面で扱い易く、価格的にも有利になったという効果を付加できた。
【００１１】
本発明における請求項７の発明によれば、前記諸効果に加え、前記環状テープの所要個所に剥離片付きの感圧性接着片を接着して折り畳んだ環状テープを出荷し、購入者は使用時に前記テープを環状に復元すると共に、前記剥離片を除去した接着片で環状テープ同士を前述したように交差定着して使用可能にしたので、その素材管理・運搬流通面で扱い易く、価格的にも有利になったという効果を付加できた。
【発明を実施するための最良の形態】
【００１２】
次に、本発明を実施するための最良の形態例を説明する。
本発明の基本的な形態は、例えば図１のような縦長の吊り下げ具Ａを作るに当たり、耐熱性の紙またはプラスチックで作った所望長のテープの両端同士を加熱硬化性糊料や高熱ヒートシールとかホッチキス止めなどの固着部１Ａで図２のように固着したり、耐熱性のプラスチックチューブを輪切りにすることで、耐熱性環状テープ１を作り、その内周上下の対向面１Ｂに他の環状テープ１の外周上下の二面１Ｃをそれぞれ図３のようにほぼ十字状に交差させて入り込ませ、上下の交差定着部２を加熱硬化性糊料や高熱ヒートシールとかホッチキス止めなどの周知の定着手段で図１・図３のように定着することで、ほぼ十字状の底片３と四つの立ち上がり吊下げ片４とほぼ十字状の吊り手部５とをそれぞれ連設した図１のような本発明による吊り下げ具Ａを得た。
【００１３】
本発明による吊り下げ具Ａは、以上のような構成となしたので、これを使用するには、先ず図１のように縦向きにした四本の吊下げ片４の適数を外側に曲げ広げた状態で、その隙間から加熱加工用食品生地を入れた耐熱カップ（周知のものでよいから図示せず）を差し入れ、このカップを底片３上に載置した後、各吊下げ片４を図１のように手指で吊り下げ可能に伸長復元した状態で、前記環状テープ１が前述したように耐熱性であれば、そのままレンジや蒸し器などに入れて上記カップ内の食品生地を加熱加工でき、加熱加工済食品を吊り下げ具Ａと共にレンジや蒸し器などから耐熱手袋や耐熱マットを用いることなく、そのまま取り出すことができ、直ちに他所に持ち運べる。
【実施例】
【００１４】
前記各環状テープ１に非耐熱性環状テープ１を用いてもよく、また前記吊り下げ具Ａを予め前記吊下げ片４の上下中間部４Ａから図３のようにパンタグラフ式に折り畳んで出荷し、購入者は使用時に吊下げ片４を図１のようにパンタグラフ式に伸長させることで、吊り下げ具Ａを起立させて使用可能にしてもよく、さらに前記環状テープ１の所要個所に剥離片付きの感圧性接着片を接着して折り畳んでおき、使用時に前記テープ１を環状に復元すると共に、前記剥離片を除去した接着片で環状テープ１同士を交差定着してもよい。
【００１５】
なお、前述した実施形態では二つの環状テープ１を立体交差定着して吊り下げ具を組み立てた例を示したが、本発明による吊り下げ具は、三個以上の環状テープ１を立体交差定着して組み立て使用することもできる。
【産業上の利用可能性】
【００１６】
本発明による吊り下げ具Ａは、前述したような加熱加工用食品生地を入れた耐熱カップ以外に、例えばデコレーションケーキや果物などを入れた装飾箱など、種々の被収容物を底片３上に載置して吊り手部５を手指で吊り下げて他所へ持ち運べる。
【図面の簡単な説明】
【００１７】
【図１】本発明による吊り下げ具の一例を示す斜視図
【図２】本発明に用いる環状テープの一例を示す斜視図
【図３】本発明による吊り下げ具を折り畳んだ例を示す斜視図
【符号の説明】
【００１８】
Ａ…吊り下げ具
１…環状テープ
１Ａ…環状テープの固着部
１Ｂ…環状テープの上下内周対向面
１Ｃ…環状テープの外周二面
２…環状テープ同士の交差定着部
３…底片
４…吊下げ片
４Ａ…吊下げ片の上下中間部
５…吊り手部
【図１】
2006111286.tif 000003
【図２】
2006111286.tif 000004
【図３】
2006111286.tif 000005